(57)【特許請求の範囲】
【請求項１】
家具の可動体に固定される本体部と、前記本体部に回転可能に取り付けられていて使用者が家具の外側から回転操作できるダイヤルとを備えており、更に、使用者が使用のたびに解錠番号を設定できる自由設定状態と解錠番号が決まっている番号固定状態とに切り替え可能になっており、前記自由設定状態と番号固定状態との切り替えは、家具の内部に露出するように設けた切り替え部材を所定角度回転させることで行われる、という符号錠が可動体に取り付けられている家具であって、
前記符号錠の本体部のうち施錠状態で人の目に触れない裏側か、又は、前記可動体のうち施錠状態で人の目に触れない裏側に、前記符号錠の切り替え部材を回転操作する操作具を脱落しない状態に保持できる保持部が設けられている一方、
前記符号錠の本体部又は前記可動体は、前記切り替え部材の露出端面との間に間隔を開けた状態で配置されたカバー体を備えており、前記操作具は前記カバー体に設けたガイド穴に挿入して切り替え部材と係合させるようになっており、
かつ、前記操作具のうち切り替え部材を回転させ得る状態でカバー体の内側に位置する部分には、当該操作具の回転軸心の半径外側にはみ出したガイド突起が形成されている一方、前記カバー体のガイド穴は、切り替え部材が自由設定姿勢のときと番号固定姿勢のときとのいずれかの姿勢のときしか操作具のガイド突起が嵌脱できないように非円形に形成されており、更に、前記操作具はガイド突起がカバー体の内側に位置した状態で切り替え部材から離脱不能に保持されている、
符号錠付きの家具。
【請求項２】
前記操作具は、先端部が前記符号錠の切り替え部材に相対回転不能に嵌まる係合部になっている本体と、一端が前記本体に取り付いて他端は自由端になってるクリップ片とから成っている一方、前記符号錠又は可動体の保持部は、前記操作具を下向き動させると当該操作具の本体とクリップ片とで挟まれる板状に形成されている、
請求項１に記載した符号錠付き家具。
【請求項３】
前記保持部は、前訴操作具を上方から挿入できるポケット状になっている、
請求項１に記載した符号錠付き家具。
【請求項４】
家具の可動体に固定される本体部と、前記本体部に回転可能に取り付けられていて使用者が家具の外側から回転操作できるダイヤルとを備えており、更に、使用者が使用のたびに解錠番号を設定できる自由設定状態と解錠番号が決まっている番号固定状態とに切り替え可能になっており、前記自由設定状態と番号固定状態との切り替えは、家具の内部に露出するように設けた替え部材を操作具で所定角度で回転させることで行われる、という構成であり、
前記符号錠の本体部は、前記切り替え部材の露出端面との間に間隔を開けた状態で配置されたカバー体を備えている一方、
前記操作具は、人が摘んで回転操作できる細長い形状の本体を備えており、前記本体には、一端が当該本体の基端又は基端寄り部位に取り付いて他端は自由端になってるクリップ片が形成されており、前記操作具の本体を前記カバー体に設けたガイド穴に挿入して切り替え部材と係合させるようになっており、
かつ、前記操作具のうち切り替え部材を回転させ得る状態でカバー体の内側に位置する部分には、当該操作具の回転軸心の半径外側にはみ出したガイド突起が形成されている一方、前記カバー体のガイド穴は、切り替え部材が自由設定姿勢のときと番号固定姿勢のときとのいずれかの姿勢のときしか操作具のガイド突起が嵌脱できないように非円形に形成されており、更に、前記操作具はガイド突起がカバー体の内側に位置した状態で切り替え部材から離脱不能に保持されている。
【発明の詳細な説明】
【技術分野】
【０００１】
本願発明は、ダイヤル（ダイアル）を回転させて数字等の符号を合わせることで解錠できる符号錠、及び、扉や引出し等の可動体に符号錠が取り付けられている家具に関するものである。なお、本願発明では、一般的な概念からは外れるが「家具」は建物も含んでおり、従って、建物の扉も本願発明の可動体の範疇に属している。
【背景技術】
【０００２】
符号錠はダイヤル錠（又はダイアル錠）とも呼ばれており、外周に０〜９の数字が記された複数個（３個又は４個が多い）のダイヤルを備えた構成になっており、各ダイヤルの数字が設定値になると解錠される。すなわち、各ダイヤルの数字が設定値の状態では摘み等の操作でデッドボルトを自由に動かすことができ、デッドボルトをロック状態にして少なくとも１つのダイヤルを回転させると施錠状態になる。
【０００３】
そして、この符号錠の１つのタイプとして、解錠するたびに設定した数字の組み合わせが強制的にリセットされて、使用者が使用するたびに新たな数字の組み合わせが可能になる自由設定状態と、解錠してもダイヤルの数字の組み合わせは変わらずに人は使用するたびに同じ数字を組み合わせて解錠する番号固定状態とに切り替えできるものがある（例えば特許文献１）。
【０００４】
この切り替え式の符号錠は、例えば、使用のたびに使用者が異なる場合には自由設定状態にすることで安全性を確保し、使用者が一定している場合には番号固定状態とすることで番号設定の煩わしさを無くす、というように状況に応じて使用態様を変更できるため、重宝である。
【０００５】
解錠の番号を自由設定状態と番号固定状態とに切り替えできるタイプの符号錠において、自由設定状態と番号固定状態との切り替えを行う切り替え部材が設けられており、切り替え部材は、施錠状態では人目に触れない裏側に露出している。そして、切り替え部材の構造として、端面にマイナス溝を形成した回転式のものがあり、従来は、この切り替え部材を細いマイナスドライバで回転させていた。
【特許文献１】特開平６−２２１０３７号公報
【発明の開示】
【発明が解決しようとする課題】
【０００６】
さて、自由設定状態と番号固定状態とに切り替えできる符号錠は必要に応じて使用態様を切り替えできるため重宝であるが、例えば扉に設けた場合に、扉を開けた状態で人の身体や物が切り替え部材に触れて設定状態が知らないうちに変わってしまうようなことがあるのは良くない。従って、切り替え部材が細いドライバ（例えば先端の幅が２〜３ｍｍ）でしか回転操作できないような状態になっていることは、設定状態を維持するという点から合理性がある。
【０００７】
しかし、符号錠の使用者（正確には符号錠が取り付けられている家具の使用者）は常に細いドライバを所持しているという訳ではない。すなわち、先端の幅が５〜７ｍｍといった通常の大きさのドライバは所持していても細いドライバは特殊であるため所持していない場合や、大きさに関係なくドライバを所持していない場合がある。このため、従来の切り替え式符号錠は設定の変更に手間取る場合があり、ユーザーフレンドリー性に欠けていた。
【０００８】
本願発明は、このような現状を改善すべく成されたものである。
【課題を解決するための手段】
【０００９】
符号錠に設定切り替え用の専用の操作具を設ければ従来の問題を解消できるが、単に専用の操作具を設けただけでは紛失等の問題がある。本願発明者たちはこのような視点で研究して、各請求項の発明を完成させるに至った。
【００１０】
このうち請求項１の発明は、家具の可動体に固定される本体部と、前記本体部に回転可能に取り付けられていて使用者が家具の外側から回転操作できるダイヤルとを備えており、更に、使用者が使用のたびに解錠番号を設定できる自由設定状態と解錠番号が決まっている番号固定状態とに切り替え可能になっており、前記自由設定状態と番号固定状態との切り替えは、家具の内部に露出するように設けた切り替え部材を所定角度回転させることで行われる、という符号錠が可動体に取り付けられている家具において、前記符号錠の本体部のうち施錠状態で人の目に触れない裏側か、又は、前記可動体のうち施錠状態で人の目に触れない裏側に、前記符号錠の切り替え部材を回転操作する操作具を脱落しない状態に保持できる保持部が設けられている。
更に、前記符号錠の本体部又は前記可動体は、前記切り替え部材の露出端面との間に間隔を開けた状態で配置されたカバー体を備えており、前記操作具は前記カバー体に設けたガイド穴に挿入して切り替え部材と係合させるようになっており、かつ、前記操作具のうち切り替え部材を回転させ得る状態でカバー体の内側に位置する部分には、当該操作具の回転軸心の半径外側にはみ出したガイド突起が形成されている一方、前記カバー体のガイド穴は、切り替え部材が自由設定姿勢のときと番号固定姿勢のときとのいずれかの姿勢のときしか操作具のガイド突起が嵌脱できないように非円形に形成されており、更に、前記操作具はガイド突起がカバー体の内側に位置した状態で切り替え部材から離脱不能に保持されている。
【００１１】
請求項２の発明は請求項１の発明を具体化したもので、請求項１において、前記操作具は、先端部が前記符号錠の切り替え部材に相対回転不能に嵌まる係合部になっている本体と、一端が前記本体に取り付いて他端は自由端になってるクリップ片とから成っている一方、前記符号錠又は可動体の保持部は、前記操作具を下向き動させると当該操作具の本体とクリップ片とで挟まれる板状に形成されている。請求項３の発明は請求項１を具体化したもので、この発明は、請求項１において、前記保持部は、前訴操作具を上方から挿入できるポケット状になっている。
【００１２】
【００１３】
請求項４の発明は、自由設定状態と番号固定状態とに切り替えできる符号錠に係るものであり、符号錠は請求項１と同様の特徴を有するが、これに加えて、前記操作具は、人が摘んで回転操作できる細長い形状の本体を備えており、前記本体には、一端が前記本体の基端又は基端寄り部位に取り付いて他端は自由端になってるクリップ片が形成されており、更に、前記操作具はガイド突起がカバー体の内側に位置した状態で切り替え部材から離脱不能に保持されている。
【発明の効果】
【００１４】
請求項１の発明によると、操作具は符号錠の本体部又は家具の可動体に設けた保持部に脱落しない状態に保持されるため、使用者は自由設定状態と番号固定状態との変更を即座に行うことができる。従って、施錠番号設定方法の切り替えを行う専用の操作具を設けたことの利点をフルに発揮させることができる。
【００１５】
請求項２の構成によると、保持部は単なる板状の構造で良いためそれだけ符号錠の本体部の構造が簡単になる利点がある。請求項２では、操作具のクリップ片は保持部と協働する保持手段の役割を果たしている。請求項３の構成を採用すると、操作具をポケット部に収納することで人の手や物が操作具に触れることを防止又は抑制できるめ、操作具に人の手や物が触れて脱落するといった不具合を防止できる。
【００１６】
さて、自由設定状態と番号固定状態とに切り替える切り替え部材が回転式の場合、どの程度回転させたら自由設定状態と切り替え部材とに切り替わるのか分かりにくい場合がある。また、操作具をどのような姿勢にしたら切り替え部材を回転させ得るのか分かりにくい場合がある。
【００１７】
この点、本願発明では、カバー体を設けて切り替え部材を不用意に回転させることができないように配慮されているものでありながら、操作具は所定の姿勢でないとガイド穴に挿脱できないため、操作具と切り替え部材との嵌まり合いが確実であり、しかも、操作具は所定角度回転して切り替え部材が自由設定状態か番号固定状態のいずれかの状態のときにしか抜き外すことができないため、自由設定状態と切り替え部材との切り替えが確実に行われる。このような利点は専用の操作具を設けたことに起因するものである。
【発明を実施するための最良の形態】
【００１８】
次に、本願発明の実施形態を図面に基づいて説明する。図１〜図５は第１実施形態を示し、図６以下では第２〜第４実施形態を示している。以下、順次説明していく。
【００１９】
(1).第１実施形態の概要
第１実施形態はロッカーに適用した例であり、図１でロッカー１の群の外観を示している。本実施形態のロッカー１は上下左右に並んだ４つの収納部２を備えており、各収納部２には水平回動式の扉３が取り付けられている。扉３はスチール製であり、その自由端部には、符号錠４が外側から操作できる状態で取り付けられている。図１では符号錠４は簡略して模式的にしか表示していないが、詳細な形状と構造は図２以下で示している。
【００２０】
図２は扉３の一部と符号錠４とを外側から見た一部破断斜視図であり、この図２に示すように、符号錠４は、扉３の取り付け穴３ａに手前から嵌め込み装着した本体ケース５と、本体ケース５の裏側に配置されたデッドボルト（閂体）６とを備えており、本体ケース５には、デッドボルト６を回転操作するための摘み７が回転自在に取り付けられており、また、ロック用の４つのダイヤル８が一部を外側に露出させた状態で並列配置されている。本体ケース５は、請求項に記載した本体部の一部を構成している。
【００２１】
本実施形態では、各ダイヤル８の群と摘み７とが一列に並んでおり、摘み７が上に位置してその下方にダイヤル８が水平回転自在に並んでいる。もちろん、ダイヤル８や摘み７の配置は必要に応じて任意に設定できる。本体ケース５には、扉３を開けるに際して人の指を差し込む引手部９が一体に形成されている。
【００２２】
本体ケース５は扉３の前面に重なるフランジ５ａを有している。また、本体ケース５のうち摘み７とダイヤル８とを設けている部分は前向きに開口しており、この開口部に蓋板１０を装着している。従って、蓋板１０も請求項に記載した本体部の一部を構成している。なお、本体ケース５は扉３の折り返し縁部３ｂに寄せた状態で配置されている。
【００２３】
図３のうち（Ａ）は符号錠４を裏側から見た一部破断斜視図、（Ｂ）は分離斜視図、（Ｃ）は操作具１５の斜視図である。である。これらの図に示すように、デッドボルト６は側面視でクランク状に折り曲げられていて本体ケース５の裏側に位置しており、回転軸にビス１１で固定されている。また、本体ケース５には、扉３を裏側から保持するストッパー部５ｂを設けている。
【００２４】
そして、図３（Ｂ）に明示するように、本体ケース５の裏板のうちデッドボルト６の回転軸心のやや下方の部位には丸穴１２が空いており、この丸穴１２から、符号錠４を自由設定状態と番号固定状態とに切り替えるための棒状の切り替え部材１３の端面が覗いている。切り替え部材１３の端面にはマイナス型の係合溝１４が形成されており、切り替え部材１３は操作具１５で回転操作される。
【００２５】
なお、切り替え部材１３はばねで外向き方向に付勢されていて、若干の寸法だけ軸方向に押し込まないと回転しないようになっている。また、切り替え部材１３は、１８０°だけ往復回転させることで、自由設定状態と番号固定状態とに切り替わるようになっている。
【００２６】
(2).詳細
次に、図１〜３に加えて図４，５も参照して更に詳述する。図４のうち（Ａ）は要部の背面図、（Ｂ）は（Ａ）のＢ−Ｂ視概略部、図５のうち（Ａ）は図４（Ａ）の VA-VA視断面図、（Ｂ）は（Ａ）のＢ−Ｂ視断面図、（Ｃ）は切り替え調節している状態での図４（Ａ）の VC-VC視断面図、（Ｄ）は（Ｃ）のＤ−Ｄ視断面図である。
【００２７】
本体ケース５の裏面には、裏部材１６がビスで固定されている。裏部材１６の下部にはラッチ爪１７が左右スライド自在に装着されている。ラッチ爪１７の露出部は平面視で山形になっており、また、ラッチ爪１７は裏部材１６に内蔵したばねで突出方向に押されている。裏部材１６は請求項に記載した本体部の一部を構成するものであり、この裏部材１６に、切り替え部材１３を裏側から覆うカバー体１８が一体に形成されて、このカバー体１８に、操作具１５を挿入するためのガイド穴１９が空いている。カバー体１８はデッドボルト６の回転中心よりやや上方の部分まで延びている。
【００２８】
操作具１５は図３（Ｃ）に示している。この図３（Ｃ）に示すように、操作具１５は細長くて略板状の本体２０を備えており、本体２０のうち先端寄りの略半分程度は細幅部２０ａになっている。そして、細幅部２０ａの先端には、本体ケース５の丸穴１２に嵌まる大きさの円柱部２１が一体に形成されており、円柱部２１の先端に、切り替え部材１３のマイナス溝１４に嵌まる係合部２２が形成されている。また、本体２０の細幅部２０ａのうち円柱部２１に寄った部位には、細幅部２０ａの広巾方向に突出した一対のガイド突起２３が形成されている。
【００２９】
また、操作具１５の本体２０のうち基端部には、クリップ片２４が一体に形成されている。本実施形態ではクリップ片２４は本体２０の先端に向けて延びており、先端は自由端になっている。クリップ片２４は本体２０の一つの広巾面の箇所に設けている。
【００３０】
そして、カバー体１８のガイド穴１９は、基本的には円形で２つの外向き溝１９ａが互いに反対方向に切り開き形成された形状であり、これにより、操作具１５はガイド突起２３を外向き溝１９ａに嵌めた姿勢でのみ挿脱できるようになっている。更に述べると、操作具１５は、ガイド突起２３に挿入してから１８０°回転させないと抜き外すことはできない。
【００３１】
裏部材１６には、カバー体１８の一側端と一体に繋がった状態で本体ケース５の裏面に延びる壁板２５が一体に形成されており、図４（Ａ）や図５（Ａ）（Ｂ）に示すように、操作具１５を下向き動させることで壁板２５を本体２０とクリップ片２４とで挟み込みできるようになっている。従って、本実施形態では、壁板２５が請求項に記載した保持部になっている。図３（Ｂ）に明示するように、本体ケース５の裏面には、裏部材１６を位置決めするためのリブ５ｃを設けている。
【００３２】
操作具１５は樹脂製であり、クリップ片２４の弾性力によって壁板２５を挟み付けることができるが、図３（Ｃ）及び図５（Ｂ）に示すように、クリップ片２４の内面に突起２７を設けることにより、加工誤差を吸収して壁板２５をしっかり挟み付けできるようになっている。更に、図５（Ｂ）のとおり、クリップ片２４の付け根部の内面には細幅の補強リブ２８を形成している。また、扉３の裏側には裏板が配置されており、符号錠４は裏板に開けた穴から部分的に露出している。クリップ片２４の内面には、突起２７と連続する状態で凹所２４′が形成されている（その意義は図１２（Ｄ）に記載）。
【００３３】
(3).まとめ
図４に一点鎖線で示すように、デッドボルト６は施錠状態（ロック状態）では扉３の外側にはみ出てロッカー本体１ａに形成したロック穴２９に嵌まり込む。また、開いた扉３を閉じると、ラッチ爪１７がロッカー本体１ｂの係合穴３０に嵌まり込む。
【００３４】
そして、符号錠４を自由設定状態と番号固定状態とに切り替えるには、操作具１５をカバー体１８のガイド穴１９に挿入して切り替え部材１３に嵌め込み、図５（Ｃ）に示すように切り替え部材１３を押し込んでから１８０°だけ回転させたら良い。すると、切り替え部材１３は１８０°しか回転しないため、自由設定状態と番号固定状態とのいずれかに設定した姿勢で操作具１５と切り替え部材１３との回転が停止し、すると、操作具１５のガイド突起２３とガイド穴１９の外向き溝１９ａとが一致して、操作具１５をガイド穴１９から抜き外すことができる。
【００３５】
また、操作具１５を回転している途中の状態では、操作具１５のガイド突起２３がカバー体１８の内側に位置しているため操作具１５を抜き外すことはできず、従って、切り替え部材１３が自由設定状態でも番号固定状態でもない不完全な状態に回転停止することはない。
【００３６】
また、図５（Ｃ）に示すように、操作具１５のガイド突起２３の前後幅寸法Ｌは本体ケース５の裏面とカバー体１８の内面との間の間隔寸法Ｈより僅かに小さい寸法であるに過ぎず、仮にガイド突起２３がカバー体１８の内面に当たっても操作具１５と切り替え部材１３との嵌合状態は保持されているため、操作具１５を回転させている途中に操作具１５と切り替え部材１３との係合が解除される虞はない。
【００３７】
そして、操作具１５は、通常は裏部材１６の壁板２５に上方から挟み保持されているため、例えば扉３の開閉によって脱落するといったことはなく、自由設定状態と番号固定状態との切り替えが必要になったらその時に即座に使用できるである。この場合、図５（Ａ）（Ｂ）に示すように、壁板２５には、突起２７が乗り越える横長のリブ２５ａを設けており、このため、操作具１５は簡単には抜けない状態に保持されている。なお、リブ２５ａはクリップ片２４の凹所２４′に嵌合させてもよい。
【００３８】
(4).第２及び第３実施形態の概略（図６〜７）
図６は複数のユニット家具を組み合わせて配置した状態を示している。すなわち、家具群は、左右２枚の水平回動式扉３１，３２を有する両開き式の第１キャビネット３３と、複数段（３段）の引出し３４を有する第１キャビネット３５と、スライド式扉３６を有する第３キャビネット３７とで構成されている。もちろん、片開き式キャビネットにも適用できる。
【００３９】
そして、第２実施形態は第１キャビネット３３に適用しており、右側の扉３２の自由端部に符号錠４を設けている。第３実施形態は第２キャビネット３５に適用しており、符号錠４は最上段の引出し３４に設けている。第１キャビネット３３では、右扉３２の自由端部に縦長ロッド３８を配置しており、縦長ロッド３８の先端に設けたラッチ爪（図示せず）が本体に係合することで閉じ状態が保持され、また、ラッチ爪が本体に係合した状態が保持されるよう縦長ロッド３８を符号錠４で回転不能に保持することでロックされる。
【００４０】
他方、第２キャビネット３５はいわゆるオールロック装置を備えており、最上段の符号錠４を施錠すると３段の引出し３４は全てロックされる（一点鎖線で示すように、個々の引出し３４に符号錠４を設けることも可能である。
【００４１】
図６では符号錠４は模式的にしか示していないが、図７で符号錠４の外観を示している。（Ａ）は正面図、（Ｂ）は側面図、（Ｃ）は背面図である。第１キャビネット３３と第２キャッビネット３５とに使用する符号錠４は引手部を備えていないタイプである。デッドボルト６は両キャビネット３３，３５で相違しており、（Ａ）に二点鎖線で示すのは引出し３４に使用するタイプ、（Ｂ）（Ｃ）に一点鎖線で示すのは回動式扉３２に使用するものである。
【００４２】
(5).第２実施形態の詳細
次に、図８〜図９に基づいて第２実施形態の詳細を説明する。図８のうち（Ａ）は（Ａ）は右扉３２を裏側から見た部分斜視図、（Ｂ）は更に右扉３２の一部を拡大した部分斜視図である。扉３２はスチール製であり、その左右側部と上下両端部とを内側に折り返して補強しており（折り返し部を符号３９で示す）、また、左右中間部の裏面には縦長の補強部材４０をスポット溶接によって固着している。
【００４３】
この実施形態で使用する符号錠４は第１実施形態から裏部材１６を取り外した態様のものであり、引手部材と共に裏カバー４２で覆われている。そして、裏カバー４２にはガイド穴１９が空いている。ガイド穴１９の形状は第１実施形態と同じであり、使用する操作具１５も第１実施形態と同じである。従って、本実施形態では、裏カバー４２が請求項に記載したカバー体に該当する。敢えて述べるまでもないが、操作具１５のガイド突起２３は本体ケース５と裏カバー４２との間に入り込む。
【００４４】
本実施形態では、操作具１５を収納するポケット体４３を補強部材４０に装着している。すなわち、請求項に記載したポケット部が補強部材４０に設けられている。その詳細を図９に基づいて説明する。
【００４５】
図９のうち（Ａ）は要部斜視図、（Ｂ）は操作具１５を収納した状態での背面図、（Ｃ）は操作具１５を分離した状態での背面図、（Ｄ）は（Ｂ）のＤ−Ｄ視断面図、（Ｅ）は（Ｂ）のＥ−Ｅ視断面図である。補強部材４０は平断面コ字状でかつ左右の翼片４０ａを有しており、翼片４０ａが扉３２に固着されている。従って、扉３２と補強部材４０とで中空部が形成されており、ポケット体４３は補強部材４０に設けた角穴４４から中空部に入り込んでいる。
【００４６】
他方、ポケット体４３は上下に長い形状であり、周壁４５と底板４６とを有して裏側に開口しており、更に、外周には補強部材４０に重なるフランジ４７が形成されている。そして、ポケット体４３の下周壁４５ａには操作具１５における本体２０の細幅部２０ａが嵌まる下穴４８が空いており、これにより、操作具１５が保持されるようになっている。
【００４７】
この場合、操作具１５はクリップ片２４を底板４６に重ねて収納されるようになっており、そこで、下穴４８はクリップ片２４の厚み分だけフランジ４７の側に寄っており、かつ、下穴４８の開口縁には、操作具１５における細幅部２０ａに内側から重なる下向き片４９を一体に形成している。従って、操作具１５の細幅部２０ａは補強部材４０と下向き片４９とで挟まれて、安定した姿勢に保持されている。
【００４８】
操作具１５の抜き差しを容易ならしめるため、ポケット体４３の内部の左右横幅は操作具１５の最大横幅よりもかなり大きくなっている。また、ポケット体４３における左右の周壁４５の下部はした周壁４５ａに収束する傾斜部４５ｂになっている。このため、操作具１５の安定性が一層高くなっている。
【００４９】
また、図９（Ｅ）に示すように、クリップ片２４の外面にはポケット体４３の底板４６に弾性的に当接する突起５０を一対に設けており、操作具１５はクリップ片２４の弾性力によってポケット体４３の底板４６に突っ張らせている。このため、例えば扉３２を激しく閉じても振動で操作具１５が外れる出るようなことはない。運搬に際してはずれ落ちるようなこともない。
【００５０】
操作具１５は、そのクリップ片２４を外側にした姿勢で大部分を下穴４８に差し込み、本体２０とクリップ片２４とでポケット体４３のフランジ４７を挟持するという状態で収納することも可能である。また、図８（Ｂ）に一点鎖線で示すように、符号錠４を囲う樹脂製の裏カバー４２にポケット部４３′を一体に形成することも可能である。この点は他の実施形態も同じである。ポケット部４３′の形態は必要に応じて設定できる。
【００５１】
(6).第３実施形態
図１０は図６に示した引出し３４の前部を裏側から見た一部破綻斜視図であり、引出し３４の前部（鏡板）は、前板５１と裏カバー５２とで中空状に形成されており、かつ、裏カバー５２は、その上部が前板５１に近づくように曲げられており、従って、裏カバー５２の上部には肩部５２ａが形成されている。そして、裏カバー５２のうち肩部の下方の部分にガイド穴１９が形成されていると共に、適宜部位にポケット体４３が装着されている。ポケット体４３の構造は第２実施形態と同じなので説明は省略する。本実施形態では、裏カバー５２がカバー体に請求項に記載したカバー体に該当する。
【００５２】
図９に一点鎖線で示すように、裏カバー５２の肩部５２ａに操作具１５の本体２０が嵌まる穴５３を開けて、本体２０とクリップ片２４とで裏カバー５２の一部を挟持することも可能である。なお、図９において符号５４で示すのはエッジ部材である。
【００５３】
(7).第４実施形態（図１１）
操作具１５の先端の係合部は切り替え部材１３に嵌まるが、その状態で、本体ケース５の裏面からカバー体１８や第１キャビネット３３の裏カバー４２や引出し３４の裏板５２との間の間隔寸法が互いに異なることが予想される。裏カバー１８や裏カバー４２や裏板５２はそれぞれ脈絡なく独自の要請に基づいて寸法が設定されるからである。
【００５４】
この点への対応策として、ガイド突起２３の長さが相違するもの操作具１５を複数種類製造しておくとことや、ガイド突起２３が存在しない操作具１５を製造して１種類で足りるようにしておくことも可能であるが、前者の対策はコストが嵩み、後者の対策は操作の確実性に劣る。他方、図１１に示す第４実施形態では、複数対のガイド突起２３が軸方向に位置を変えて設けられており、この構成を採用すると、１種類の操作具１５をロッカー１の扉やキャビネットの水平回動式扉３２や引出し３４に適用できる利点がある。
【００５５】
(8).第５実施形態
図１２では第５実施形態を示している。この実施形態は操作具１５の別例であり、基本的には従前と同じであるが、従前の形態との相違点として、本体２０における広巾の基端寄り部位に端面をえぐったくびれ部２０ｂを形成している点（ａ点）、本体２０のうちクリップ片２４と反対側でかつ細幅部２０ｂの付け根部に側面視略Ｖ形の切欠き溝部５５を形成している点（ｂ点）、本体２０のうちクリップ片２４と反対側の部位に側面視で凹んだ凹所２０ｃを形成してと、この凹所２０ｃの前後中間部に突起５６を形成した点（ｃ点）、が相違している。
【００５６】
ａ点は、人が操作具１５を摘むに際して指にフィットさせて摘み易くするためのものである。また、ｂ点の切欠き溝５５は、図１２（Ｃ）に示すようにクリップ片片２４を内側にしてポケット体４３に装着した状態で、フランジ４７の縁に係合させることで簡単には抜けないように保持させるためのものである。更に、ｃ点の突起５６は、操作具１５を図１２（Ｃ）の姿勢でポケット体４３に装着したとき、取り外すに際して指先の引っ掛かりと成すことで取り外しを容易ならしめることを主目的としている。
【００５７】
既述のとおり、操作具１５はクリップ片２４を外側にした状態で操作具１５をポケット体４３に装着することも可能である。この装着方法として、図１２（Ｄ）では、クリップ片２４の先端寄り部位のうち突起２７に連続して凹所２４′を形成し、この凹所２４′と突起２７とから成る係合部をポケット体４３のフランジ４７に嵌合させている。
【００５８】
他方、図１２（Ｄ）に示すように、クリップ片２４の付け根がフランジ４７に当たる状態まで差し込むことも可能である。この場合、凹所２０ｃに設けた突起５６を下向き片４９の先端に引っ掛けて、抜けにくくすること可能である。勿論、下向き片５６は一点鎖線で示すように突起５６を超えて延びていても良い。
【００５９】
(9).その他
本願発明は上記の実施形態の他にも様々に具体化できる。例えば、操作具の具体的な構造・形状は符号錠の構造等に応じて任意に設定できるのであり、例えば円柱状の形態と成すことも可能である。
【００６０】
また、操作具を符号錠の本体部や扉等の可動体に脱落しない状態に保持する保持手段としてはは、扉や引出しに直接にポケット部を形成したり、操作具にリングを一体又は別体に設けてこれを符号錠の本体又は可動体に設けたフック部に引っ掛けるようにするなど、様々の態様を採用できる。更に、本願発明は、図６に第３キャビネットとして示した引き違い式のキャビネットにも適用できることはいうまでもない。
【図面の簡単な説明】
【００６１】
【図１】第１実施形態の外観斜視図である。
【図２】第１実施形態を外側から見た一部破断斜視図である。
【図３】（Ａ）は符号錠を裏側から見た一部破断斜視図、（Ｂ）は分離斜視図、（Ｃ）は操作具の斜視図である。
【図４】（Ａ）は要部の背面図、（Ｂ）は（Ａ）のＢ−Ｂ視概略部である。
【図５】（Ａ）は図４（Ａ）の VA-VA視断面図、（Ｂ）は（Ａ）のＢ−Ｂ視断面図、（Ｃ）は切り替え調節している状態での図４（Ａ）の VC-VC視断面図、（Ｄ）は（Ｃ）のＤ−Ｄ視断面図である。
【図６】第２実施形態及び第３実施形態の外観斜視図である。
【図７】第２実施形態及び第３実施形態で使用する符号錠の外観図である。
【図８】第２実施形態に係る扉の一部は段斜視図である。
【図９】第２実施形態を示す図で、（Ａ）は要部斜視図、（Ｂ）は操作具を収納した状態での背面図、（Ｃ）は操作具を分離した状態での背面図、（Ｄ）は（Ｂ）のＤ−Ｄ視断面図、（Ｅ）は（Ｂ）のＥ−Ｅ視断面図である。
【図１０】第３実施形態を示す図である。
【図１１】第４実施形態を示す図である。
【図１２】第５実施形態を示す図である。
【符号の説明】
【００６２】
１  家具の一例としてのロッカー
３  ロッカーの扉
４  符号錠
５  本体部を構成する本体ケース
６  デッドボルト（閂体）
７  摘み
８  ダイヤル
１５  操作具
１６  裏部材
１８  カバー体
１９  ガイド穴
１９ａ  外向き溝
２０  操作具の本体
２１  操作具の円柱部
２２  操作具の係合部
２３  操作具のガイド突起
２４  操作具のクリップ片
２５  保持部の一例としての壁板
４２，５２  可動体のカバー体としての裏カバー
【図１】
0005189864.tif 000002
【図２】
0005189864.tif 000003
【図３】
0005189864.tif 000004
【図４】
0005189864.tif 000005
【図５】
0005189864.tif 000006
【図６】
0005189864.tif 000007
【図７】
0005189864.tif 000008
【図８】
0005189864.tif 000009
【図９】
0005189864.tif 000010
【図１０】
0005189864.tif 000011
【図１１】
0005189864.tif 000012
【図１２】
0005189864.tif 000013